(57)【要約】【課題】  基台内に浸入した水が凝固して灯体を破壊することが認識される埋込形照明灯を提供する。【解決手段】  埋込形照明灯１は、光源１９および上面１０ａ側に光源１９の放射光が出射される出射口１６を有する灯体２と、開口部３９を有する有底の箱状に形成され、地面３に埋め込まれているとともに、灯体２を開口部３９に取り付けている基台７と、基台７内に配設され、基台７内に浸入して溜まった水５６が凝固した氷の膨張圧力を検出する圧力センサ５と、圧力センサ５が所定値以上の圧力を検出したときに、光源１９の点灯状態を制御する電源装置６とを具備している。【選択図】図２
2012229576.tif 000002
【特許請求の範囲】
【請求項１】
光源および上面側に前記光源の放射光が出射される出射口を有する灯体と；
開口部を有する有底の箱状に形成され、地面に埋め込まれているとともに、前記灯体を前記開口部に取り付けている基台と；
この基台内に配設され、基台内に浸入して溜まった水が凝固した氷の膨張圧力を検出する圧力センサと；
この圧力センサが所定値以上の圧力を検出したときに、前記光源の点灯状態を制御する電源装置と；
を具備していることを特徴とする埋込形照明灯。
【請求項２】
前記圧力センサは、前記灯体の下面側に配設されていることを特徴とする請求項１記載の埋込形照明灯。
【請求項３】
前記圧力センサは、外部電源から前記基台内に引き込まれた電源ケーブルと、前記光源側に接続された電源線とを電気接続する防水性の接続部材に結束されていることを特徴とする請求項１記載の埋込形照明灯。
【請求項４】
前記電源装置は、圧力センサが所定値以上の圧力を検出したときに、前記光源を消灯させることを特徴とする請求項１ないし３いずれか一記載の埋込形照明灯。
【発明の詳細な説明】
【技術分野】
【０００１】
本発明の実施形態は、地面に埋め込み設置される埋込形照明灯に関する。
【背景技術】
【０００２】
この種の埋込形照明灯としては、例えば空港の滑走路や誘導路に設置され、航空機を誘導する埋込形航空標識灯が知られている。この埋込形航空標識灯は、灯体を備え、この灯体の上部が路面から少し突出した状態で路面に埋め込み設置されており、その灯体の上部に側方へ向けて設けられている窓部から出射溝を経由して光を出射し、航空機の操縦者から視認できるようにしている。
【０００３】
そして、灯体は、路面に埋設された基台に、間座および調整リングを介して埋め込み設置されている。基台は、ゴムトランスを配設しているハンドホールに配管により接続され、基台内には、ハンドホールから配管を通して電源ケーブルが引き込まれている。この電源ケーブルは、レセプタクルなどを介して灯体に接続されている（例えば特許文献１参照。）。また、灯体は、防水用パッキンを介して基台側に液密に取り付けられており、基台内に雨水などの水分が浸入しないようにしている。
【０００４】
しかしながら、基台内には、ハンドホール側から配管を介して水が浸入している。これは、埋込形航空標識灯を設置する業者が配管に防水用パッキンなどを介在させずに電源ケーブルを配線していることによる。基台内は、浸入した水が相応に溜まり、灯体に達するまで溜まっていることがある。
【先行技術文献】
【特許文献】
【０００５】
【特許文献１】特開２００８−２２３２５３号公報（第７頁、第２図）
【発明の概要】
【発明が解決しようとする課題】
【０００６】
近年、灯体に配設される光源は、発熱量が比較的小さい発光ダイオードが用いられている。そして、寒冷地の空港においては、地面が凍結することがある。
【０００７】
灯体が水に浸った状態で地面が凍結すると、発光ダイオードの発熱によっては水の温度低下を阻止することができず、水が凝固して体積が膨張する。そして、この凝固によって形成された氷から膨張に伴う圧力が灯体に加わって灯体が破壊することがあった。そして、灯体の破壊部分から日中溶け出した水が灯体内に浸入して、漏電や電気系統に悪影響するおそれがあった。また、光源の消灯に至るまで、灯体の破壊に気づかないことがあった。
【０００８】
本発明の実施形態は、基台内に浸入した水が凝固して灯体を破壊することが認識される埋込形照明灯を提供することを目的とする。
【課題を解決するための手段】
【０００９】
実施形態の埋込形照明灯は、灯体、基台、圧力センサおよび電源装置を備える。
【００１０】
灯体は、光源および上面側に光源の放射光が出射される出射口を有してなる。
【００１１】
基台は、開口部を有する有底の箱状に形成されている。そして、地面に埋め込まれて、灯体を開口部に取り付ける。
【００１２】
圧力センサは、基台内に配設される。そして、基台内に浸入して溜まった水が凝固した氷の膨張圧力を検出する。
【００１３】
電源装置は、圧力センサが所定値以上の圧力を検出したときに、光源の点灯状態を制御する。
【発明の効果】
【００１４】
本発明の実施形態によれば、基台内に浸入した水が凝固して氷となり、圧力センサが氷から押圧されて所定値以上の圧力を検出すると、電源装置が光源の点灯状態を制御するので、光源の点灯状態が視認されることにより、基台が埋め込まれる地面の温度が低下して、基台内に浸入した水が凝固し、その凝固により形成された氷によって灯体が破壊されるおそれがあることが認識され、対処することにより、灯体の破壊時の悪影響を少なくできることが期待できる。
【図面の簡単な説明】
【００１５】
【図１】本発明の第１の実施形態を示す埋込形照明灯の概略上面図である。
【図２】同じく、埋込形照明灯の概略縦断面図である。
【図３】同じく、埋込形照明灯への配線を示す概略ブロック図である。
【図４】同じく、電源装置の構成を示す概略ブロック図である。
【図５】本発明の第２の実施形態を示す埋込形照明灯の概略上面図である。
【発明を実施するための形態】
【００１６】
以下、本発明の一実施の形態について、図面を参照して説明する。まず、本発明の第１の実施形態について説明する。
【００１７】
第１の実施形態の埋込形照明灯は、空港の滑走路や誘導路などの地面（路面）に埋め込み設置される埋込形航空標識灯１であり、図１ないし図４に示すように構成される。
【００１８】
図３において、埋込形航空標識灯１は、灯体２、この灯体２を取り付けて地面（路面）３に埋め込まれて設置されている設置体４、灯体２に取り付けられて設置体４内に配設されている圧力センサ５および灯体２内に配設されている電源装置６を備えている。そして、設置体４は、有底で略円筒状の基台７、この基台７上に取り付けられた埋め込み深さ調整用の略円筒状の間座８およびこの間座８上に取り付けられた水平軸調整のための円環状の調整リング９を備えている。そして、設置体４は、調整リング９の上面９ａ周辺部が地面３と略同一高さとなるように埋め込み設置されている。
【００１９】
図２において、灯体２は、略円盤状の上部灯体１０および略皿状の下部灯体１１による２つ割り構造に形成されている。そして、上部灯体１０および下部灯体１１は、Ｏリング１２を介して覆合され、ビス１３により固着されている。これにより、内部空間１４が液密に形成されている。上部灯体１０は、高強度金属例えばアルミニウム（Ａｌ）を鋳造して形成され、下部灯体１１は、例えばアルミダイキャストにより形成されている。
【００２０】
上部灯体１０の上面１０ａは、平坦状の頂面１５を有するように膨出されているとともに、図１に示すように、頂面１５の両端側が切り欠きされている。さらに頂面１５の一端側が切り欠きされて、出射口としての光導出溝１６が形成されている。光導出溝１６は、図２に示すように、内部空間１４に連通し、平坦状の頂面１５に対して斜め上方に向かうように形成されている。
【００２１】
下部灯体１１は、内部空間１４に平面状の取付け板１７を配設している。この取付け板１７には、取付け部材１８を介して光源１９が取り付けられている。光源１９は、基板２０に実装された発光ダイオード２１などを有して形成されている。
【００２２】
また、上部灯体１０には、プリズム２２を収容しているプリズム収容部２３が形成されている。このプリズム収容部２３は、光導出溝１６に連通されている。プリズム２２は、例えば強化ガラスからなり、シリコーンゴム製の枠状をなすパッキング２４を配設している。プリズム２２は、光導出溝１６および内部空間１４に液密に配設されている。
【００２３】
プリズム２２は、光源１９からの光が入射され、この光が光導出溝１６から斜め上方に出射されるように光路規制を行うものである。そして、光源１９は、その放射光がプリズム２２に入射するように、プリズム２２の入射面に対向して内部空間１４に配設されている。
【００２４】
そして、灯体２は、図１に示すように、その上部灯体１０の上面１０ａの周縁側に凹部２５が形成されている。この凹部２５に形成された図示しない通孔に、調整リング９からスタットボルト２６が挿通されて、上部灯体１０の上面１０ａ側においてナット２７が締め付けられている。灯体２は、スタットボルト２６およびナット２７により、調整リング９に収容されて固定されている。
【００２５】
図２において、調整リング９は、それぞれアルミニウム製の第１および第２の部材２８、２９からなっている。第１の部材２８は、リング状に形成され、第２の部材２９は、環状座に形成されている。第１および第２の部材２８、２９は、４個のボルト３０により一体化されている。すなわち、第１の部材２８の周縁部側には、図１に示すように、周方向に９０°回転間隔で４個の凹所３１が形成されている。そして、図２に示すように、凹所３１には、ボルト３０の図示しない挿通孔が形成され、第２の部材２９には、ボルト３０のねじ孔３２が形成されている。
【００２６】
そして、第２の部材２９は、上述したように、スタットボルト２６およびナット２７により、灯体２に固定されている。これにより、灯体２は、調整リング９に固定されている。そして、調整リング９は、間座８に固定されている。
【００２７】
間座８は、例えばアルミニウムからなり、リング体３３およびリング体３４に２分割されている。リング体３３は、基台７に跨座している。リング体３４は、リング体３３に上側から嵌合して、図示しないねじによりリング体３３に固定されている。
【００２８】
そして、リング体３４は、調整リング９の第２の部材２９にボルト３５により固定されている。すなわち、第２の部材２９の周縁部側には、図１に示すように、第１の部材２８によって、第１の部材２８の凹所３１の中間であって周方向に９０°回転間隔で４個の凹所３６が設けられている。この凹所３６には、ボルト３５が上下方向に貫通される長孔３７が形成されている。そして、図２に示すように、リング体３４には、ボルト３５のねじ孔３８が形成されている。ボルト３５がねじ孔３８に完全にねじ込まれることにより、調整リング９および灯体２は、間座８に取り付けられている。このとき、調整リング９の上面９ａが地面３にほぼ位置するように、間座８の大きさが設定されている。
【００２９】
基台７は、例えばアルミニウムからなり、例えば鋳造により、上端側７ａに開口部３９、側面７ｂに接続部４０および内部に内部空間４１を有する有底の箱状（略円筒状）に形成されている。そして、基台７は、図示しないねじにより、間座８のリング体３３を固定している。すなわち、リング体３３の凹部４２には、ねじが貫通される図示しない貫通孔が形成され、基台７の上端側７ａには、当該貫通孔に対応する図示しないねじ孔が形成されている。基台７に間座８が固定されることにより、基台７は、調整リング９および灯体２を取り付けている。すなわち、基台７は、その開口部３９に間座８および調整リング９を介して灯体２を取り付けている。
【００３０】
基台７の側面７ｂに形成された接続部４０は、配管４３が嵌入される貫通口であり、配管４３が接続されている。この配管４３を介して後述のハンドホール５１から電源ケーブル４４が引き込まれている。電源ケーブル４４の先端には、防水性の接続部材としてのレセプタクル４５が取り付けられている。
【００３１】
灯体２の下部灯体１１の下面１１ｂには、受電端子４６を配設している防水コネクタ４７が設けられている。この防水コネクタ４７に装着されるコネクタ４８を有するプラグ付き電源線４９，４９が基台７内に収納されている。当該電源線４９，４９は、電源ケーブル４４のレセプタクル４５および防水コネクタ４７（受電端子４６）を電気接続している。受電端子４６は、防水兼絶縁ブッシング５０を介して下部灯体１１内に突出されている。なお、レセプタクル４５の他、コネクタ４８およびプラグ付き電源線４９，４９なども防水性を有するように形成されている。
【００３２】
配管４３は、図３に示すように、地面３に埋め込み設置されたハンドホール５１に接続されている。ハンドホール５１内には、外部電源としてのゴムトランス（ゴム被覆絶縁変圧器）５２が配設されている。ゴムトランス５２は、定電流電源装置（ＣＣＲ）５３から出力された交流定電流が一次ケーブル５４，５５を通じて入力され、変換した交流定電流を電源ケーブル（二次ケーブル）４４を通じて埋込形航空標識灯１に供給する。
【００３３】
なお、ゴムトランス５２は、通常、複数の埋込形航空標識灯１に交流定電流を供給している。配管４３は、各基台７の外側で分岐されて各基台７の接続部４０に接続されてもよく、各基台７に一対の接続部４０，４０が設けられて、隣り合う基台７，７の接続部４０，４０に接続されてもよい。電源ケーブル４４は、前者の場合には、配管４３の分岐位置で分岐され、後者の場合には、基台７内で分岐される。
【００３４】
そして、ハンドホール５１は、大気に開放され又は雨水などに対する防水対策が施されていないので、その内部に雨水などの水５６が浸入し、ハンドホール５１内に溜まる。ハンドホール５１内に溜まった水５６は、配管４３の配設位置まで上昇すると、配管４３を通じて埋込形航空標識灯１の基台７内に浸入する。そして、ハンドホール５１内の水位が上昇するにしたがい、基台７内の水位が上昇していく。
【００３５】
図２において、圧力センサ５は、その受圧部５ａが基台７の底面７ｃを向くようにして、固定部材５７により灯体２の下部灯体１１の下面１１ｂに取り付けられている。固定部材５７は、図示しない取付けねじ等により下部灯体１１の下面１１ｂに固定されている。そして、圧力センサ５は、その出力コード５ｂが下部灯体１１に設けられた図示しない孔から灯体２の内部空間１４に引き込まれて、電源装置６に接続されている。前記孔には、防水部材５８が取り付けられている。こうして、圧力センサ５は、基台７内に配設されている。
【００３６】
圧力センサ５は、基台７内に浸入した水５６が凝固した氷となり、受圧部５ａが氷からの膨張圧力を受けると、その圧力に応じた電圧値を電源装置６に出力するように構成されている。この圧力センサ５は、防水性であって、汎用性のもの例えば東洋測器（株）製のＴＤＣ−ＳＣＤ型圧力センサを用いることができる。
【００３７】
そして、圧力センサ５は、基台７内で凝固した氷の表面が下部灯体１１の下面１１ｂ側近傍よりも灯体２の上面１０ａ側に位置しているときに氷からの圧力を受けて氷の圧力を検出するように、その受圧部５ａが基台７の底面７ｃを向いて下部灯体１１の下面１１ｂ側に配設されている。すなわち、基台７内に発生した氷が灯体２に圧力を加えるおそれが大きいときから氷の膨張圧力を検出するようにしている。
【００３８】
電源装置６は、灯体２の内部空間１４に配設された取付け板１７の下部灯体１１側に配設されている。そして、それぞれ図示しないリード線により、光源１９および受電端子４６に接続されている。また、電源装置２２は、圧力センサ５の出力コード５ｂを接続している。図４に示すように、電源装置６は、点灯装置５９および制御装置６０を有して構成されている。受電端子４６は、点灯装置５９および制御装置６０のそれぞれの入力端子となっている。
【００３９】
点灯装置５９は、ＡＣ／ＤＣ変換回路６１、電流調整回路６２および制御回路６３を備えている。ＡＣ／ＤＣ変換回路６１は、例えば整流器などを有する既知の整流手段により、ハンドホール５１のゴムトランス５２から受電端子４６に供給される交流定電流を直流定電流に変換するように形成されている。電流調整回路６２は、例えば既知の降圧チョッパ回路からなり、光源１９の発光ダイオード２１に流れる電流を調整して供給するように形成されている。制御回路６３は、発光ダイオード２１に所定の電流が流れるように電流調整回路６２を制御するように形成されている。発光ダイオード２１は、所定の電流が流れることにより、点灯して可視光を放射する。
【００４０】
制御装置６０は、バイパス回路部６４、ＡＣ／ＤＣ変換回路部６５および制御回路部６６を備えている。バイパス回路部６４は、限流素子としての抵抗Ｒ１および半導体スイッチとしての電界効果トランジスタＱ１の直列回路に形成され、電界効果トランジスタＱ１がオンすることにより点灯装置５９の入力間を短絡する。電界効果トランジスタＱ１がオンしているときのバイパス回路部６４のインピーダンス値は、点灯装置５９および光源１９の合計インピーダンス値よりも非常に小さくなっている。すなわち、電界効果トランジスタＱ１がオンすると、ハンドホール５１のゴムトランス５２から供給される交流定電流は、主としてバイパス回路部６４側に流れる。これにより、点灯装置５９は、発光ダイオード２１に電流を供給できなくなり、発光ダイオード２１が消灯する。
【００４１】
ＡＣ／ＤＣ変換回路部６５は、例えば整流器などを有する既知の整流手段を備えており、ハンドホール５１のゴムトランス５２から受電端子４６に供給される交流定電流を直流電源に変換して、制御回路部６６等の動作電源として供給するように形成されている。
【００４２】
そして、制御回路部６６は、ＣＰＵ（マイコン）を備え、圧力センサ５が検出した圧力に応じた電圧値が入力される。そして、当該圧力の電圧値が予め設定された所定値以上であるときに、バイパス回路部６４の電界効果トランジスタＱ１のゲート、ソース間に電圧を供給して電界効果トランジスタＱ１をオンさせるように形成されている。すなわち、制御回路部６６は、圧力センサ５の検出した圧力に応じて光源１９の発光ダイオード２１の点灯状態を制御するものであり、圧力センサ５が所定値以上の圧力を検出したときに発光ダイオード２１を消灯させるように制御する。前記所定値は、氷からの圧力によって灯体２または設置体４のいずれかが破壊される圧力値よりも幾分低く設定されている。
【００４３】
なお、点灯装置５９および制御装置６０は、電源装置６に構成されているが、別体に構成されていてもよい。
【００４４】
また、制御装置６０は、圧力センサ５が所定値以上の圧力を検出したときに、発光ダイオード２１が減光又は点滅するように、制御回路部６６がバイパス回路部６４の電界効果トランジスタＱ１をオンオフ制御するように形成されていてもよい。すなわち、電源装置２１は、圧力センサ５が所定値以上の圧力を検出すると、光源１９の発光ダイオード２１を減光又は点滅するように形成されてもよい。
【００４５】
次に、本発明の第１の実施形態の作用について述べる。
【００４６】
図３において、ハンドホール５１内に浸入した水５６の水位が配管４３の配設位置に上昇すると、設置体４の基台７内に配管４３を通じて水５６が浸入する。基台７内は、ハンドホール５１内の地面３表面からの水位と略同等の水位となるように水５６が溜まる。そして、ハンドホール５１内の水位が上昇するにしたがい、基台７内の水位が上昇する。
【００４７】
基台７内に水５６が溜まっている状態で、地面３の温度が氷点下以下に低下すると、基台７内の温度も次第に低下していき、氷点下となる。基台７内の水５６は、凝固点以下となり、氷となる。氷は、水５６の体積の約１．１倍となり、基台７内における占有率が水５６のときよりも大きくなる。
【００４８】
基台７内の水位が灯体２の下部灯体１１の下面１１ｂ近傍に達していない状態で、水５６が氷になると、氷の表面は、灯体２の下部灯体１１の下面１１ｂに当接することがなく、例え氷が下部灯体１１に当接するような水５６の水位であっても水５６が凍るときには設置体４の間座８内の空間に凍っていく水５６の逃げ場があり、下部灯体１１への氷の膨張圧力は小さいものである。圧力センサ５が検出する氷からの圧力は、予め設定された所定値以下であり、電源装置６の制御装置６０は、そのバイパス回路部６４の電界効果トランジスタＱ１をオフ状態に維持する。これにより、点灯装置５９は、光源１９の発光ダイオード２１を点灯できる。
【００４９】
そして、基台７内の水位が灯体２の下部灯体１１の下面１１ｂ近傍に上昇していて水５６が次第に氷になると、氷の表面が下部灯体１１の下面１１ｂに当接するとともに、間座８内において氷により下部灯体１１が包囲されて氷から圧力を受けるようになる。基台７の内部空間４１および間座８内の空間は、氷によりほぼ満たされ、膨張していく氷の逃げ場がなくなって、氷の膨張圧力が下部灯体１１の下面１１ｂ側を強く押圧するようになる。これにより、圧力センサ５の受圧部５ａに加わる圧力も強くなり、圧力センサ５が検出する圧力値も次第に大きくなっていく。このように、圧力センサ５は、灯体２の下部灯体１１の下面１１ｂ側に、基台７の底面７ｃ側を向くように配設されていることにより、氷の表面が下部灯体１１の下面１１ｂ側よりも灯体２の上面１０ａ側に位置しているときに氷からの圧力を検出するものである。
【００５０】
そして、圧力センサ５が所定値以上の圧力を検出すると、制御装置６０の制御回路部６６は、バイパス回路部６４の電界効果トランジスタＱ１をオンにさせる。ハンドホール５１のゴムトランス５２から受電端子４６に供給される交流定電流は、バイパス回路部６４に流れて環流し、点灯装置５９側に供給されなくなる。これにより、点灯装置５９は、動作しなくなって、光源１９の発光ダイオード２１に電流を供給しなくなる。発光ダイオード２１は、消灯し、その放射光が灯体２の出射口としての光導出部１６から出射されなくなる。
【００５１】
灯体２の光導出部１６から放射光が出射されなくなることが視認され、地面３が凍結する程の外気温度であることが確認されることにより、基台７内に浸入した水５６が凝固して氷となり、その氷によって灯体２が破壊されるおそれがあることを使用者が認識でき、使用者は、直ちに基台７内の氷を除去する作業に着手することができ、また、新品の灯体２を準備するなどに取り掛かることができるようになる。
【００５２】
本実施形態によれば、基台７内に浸入した水５６が凝固して氷となり、圧力センサ５が氷から押圧されて所定値以上の圧力を検出すると、電源装置６の制御装置６０が光源１９の点灯状態を制御するので、光源１９の点灯状態が視認されることにより、基台７が埋め込まれる地面３の温度が低下して、基台７内に浸入した水５６が凝固し、その凝固により形成された氷によって灯体２が破壊されるおそれがあることを認識できるという効果を有する。
【００５３】
そして、使用者が直ちに基台７内の氷を除去する作業に着手することにより、灯体２が破壊されて破壊部分から日中溶けた水５６が基台７内に浸入し、漏電等の悪影響を引き起こすことを防止できる。
【００５４】
また、圧力センサ５は、氷の表面が下部灯体１１の下面１１ｂ側近傍よりも灯体２の上面１０ａ側に位置しているときに氷からの圧力を検出するように下部灯体１１の下面１１ｂ側に配設されているので、基台７内に溜まっている水５６が凝固して氷になっても、氷の表面が下部灯体１１から離間していて氷によって下部灯体１１が破壊されるおそれがないときの不要な氷からの圧力検出を無くし、氷によって下部灯体１１が破壊されるおそれが強いときに氷からの圧力を検出することができるという効果を有する。
【００５５】
また、電源装置６は、圧力センサ５が所定値以上の圧力を検出したときに、光源１９を消灯させるように構成されているので、光源１９の消灯により灯体２が破壊されるおそれがあることを簡易手段で予知させることができ、別の予知手段を設けなくすることができて埋込形航空標識灯１のコストアップを抑制できるという効果を有する。
【００５６】
次に、本発明の第２の実施形態について説明する。
【００５７】
図５は、第２の実施形態を示す埋込形照明灯としての埋込形航空標識灯１Ａであり、図２に示す埋込形航空標識灯１において、圧力センサ５の配設位置が異なるものである。ここで、図２と同一部分には、同一符号を付している。
【００５８】
圧力センサ５は、電源ケーブル４４の先端に設けられたレセプタクル４５に着脱される防水性の接続部材としてのプラグ６７の外表面に結束バンド６８，６８により結束されている。また、圧力センサ５は、灯体２側のプラグ６７の外表面に結束されている。圧力センサ５の配設位置は、下部灯体１１から相応に離間している。ここで、圧力センサ５およびプラグ６７の間に接着材を塗布して、圧力センサ５をプラグ６７に強固に固着させてもよい。また、圧力センサ５は、レセプタクル４５の外表面に設けるようにしてもよい。
【００５９】
そして、圧力センサ５の電気コード５ｂは、下部灯体１１の下面１１ｂに設けられた図示しない孔を介して電源装置６に接続されている。前記孔には、防水部材６９が配設されている。そして、プラグ６７から導出された電源線４９，４９は、コネクタ４８により下部灯体１１の下面１１ｂ側に配設された防水コネクタ４７に接続されている。
【００６０】
基台７内に溜まった水５６の水位が圧力センサ５の配設位置よりも灯体２側であるときに、水５６が凝固して氷になると、圧力センサ５は、氷からの圧力を検出する。そして、圧力センサ５が所定値以上の圧力を検出することにより、電源装置６の制御装置６０の動作により、光源１９の発光ダイオード２１が消灯される。これにより、氷によって灯体２が破壊される前に、灯体２が破壊されるおそれがあることが認識される。
【００６１】
本実施形態によれば、圧力センサ５は、ハンドホール５１のゴムトランス５２から基台７内に引き込まれた電源ケーブル４４と、光源１９側に接続された電源線４９，４９とを電気接続する防水性の接続部材としてのプラグ６７（又はレセプタクル４５）に結束されているので、圧力センサ５は、灯体２から離れた位置で氷からの圧力を検出することができ、灯体２が破壊されるおそれが高いことを早期の段階で認識させることができるという効果を有する。
【００６２】
なお、第１および第２の実施形態は、埋込形照明灯として埋込形航空標識灯１，１Ａで説明したが、これに限らず、例えば道路や広場などの地面３に設置される案内灯、看板や標識などを照明する標識灯、あるいは周囲を照明するための設置灯などに適用してもよい。
【符号の説明】
【００６３】
１，１Ａ…埋込形照明灯としての埋込形航空標識灯、  ２…灯体、  ５…圧力センサ、  ６…電源装置、  ７…基台、  １６…出射口としての光導出溝、  １９…光源、  ３９…開口部
【図１】
2012229576.tif 000003
【図２】
2012229576.tif 000004
【図３】
2012229576.tif 000005
【図４】
2012229576.tif 000006
【図５】
2012229576.tif 000007